(57)【要約】【課題】  本発明は、入力コンテンツ内容に応じた電源制御を行うことにより省電力を実現するコンテンツ再生装置を提供することにある。【解決手段】  コンテンツ再生装置１９において、ＰＳＩ解析部６が入力されるコンテンツの付加情報を解析することで映像コンテンツが含まれるか否かを調べた結果、または信号検出部７が入力されるコンテンツに映像信号が含まれるか否かを調べた結果を利用し、映像情報検出部８は入力コンテンツに映像情報が含まれるか否かを検出し、検出結果を電源制御部９に出力する。入力コンテンツに映像情報が含まれる場合、電源制御部９はディスプレイ１７へ電力を供給することでディスプレイ電源をオンする一方、映像情報が含まれない場合、電源制御部９はディスプレイ１７への電力供給を停止することでディスプレイ電源をオフする。【選択図】  図１
2006295748.tif 000002
【特許請求の範囲】
【請求項１】
映像表示装置と音声出力装置とを有するコンテンツ再生装置であって、
コンテンツを含む情報を入力する入力手段と、
前記コンテンツが映像情報を含むか否かを判断するコンテンツ判断手段と、
前記表示装置および前記音声出力装置に供給する電力を制御可能な電源手段とを有し、
前記コンテンツ判断手段により前記コンテンツに映像情報が含まれないと判断された場合、前記電源手段は、前記音声出力装置へ電力を供給し、
前記コンテンツ判断手段により前記コンテンツに映像情報が含まれると判断された場合、前記電源手段は、前記音声出力装置および前記映像表示装置へ電力を供給することを特徴とするコンテンツ再生装置。
【請求項２】
請求項１記載のコンテンツ再生装置であって、
前記コンテンツ判断手段は、前記情報に含まれるパケット識別子を分析し、
前記コンテンツに映像が含まれるか否かを判断することを特徴とするコンテンツ再生装置。
【請求項３】
請求項１記載のコンテンツ再生装置であって、
前記入力手段は、第１のコンテンツ入力手段と、第２のコンテンツ入力手段とを有し、
前記コンテンツ判断手段は、前記第１のコンテンツ入力手段に入力されたコンテンツが映像情報を含むか否かを判断する第１のコンテンツ判断手段と、前記第２のコンテンツ入力手段に入力されたコンテンツが映像情報を含むか否かを判断する第２のコンテンツ判断手段とを有し、
当該コンテンツ再生装置は、さらに、前記第１のコンテンツ入力手段と前記第２のコンテンツ入力手段のどちらから入力するかを選択するコンテンツ選択手段を備え、
前記コンテンツ選択手段が前記第１のコンテンツ入力手段を選択している場合には、前記第１のコンテンツ判断手段の判断結果に応じて前記電源手段を制御し、前記コンテンツ選択手段が第２のコンテンツ入力手段を選択している場合には、前記第２のコンテンツ判断手段の判断結果に応じて前記電源手段を制御することを特徴とするコンテンツ再生装置。
【請求項４】
請求項３記載のコンテンツ再生装置であって、
前記第１のコンテンツ入力手段は、アンテナ入力手段であり、前記第２のコンテンツ入力手段は、外部入力手段であることを特徴とするコンテンツ再生装置。
【請求項５】
請求項３記載のコンテンツ再生装置であって、
前記第１のコンテンツ判断手段は、前記情報に含まれるパケット識別子を分析して前記コンテンツに映像が含まれるか否かを判断し、
前記第２のコンテンツ判断手段は、前記コンテンツ選択手段から出力された信号中に映像信号が存在するか否かを検出することで前記コンテンツに映像が含まれるか否かを判断することを特徴とするコンテンツ再生装置。
【請求項６】
請求項１記載のコンテンツ再生装置であって、
前記電源手段が、前記映像表示装置へ電力を供給しているか否かを記憶した記憶手段を有し、
前記コンテンツ判断手段からの出力結果に応じて、前記記憶手段に記憶された値を変更することを特徴とするコンテンツ再生装置。
【発明の詳細な説明】
【技術分野】
【０００１】
本発明はコンテンツ再生装置に関し、特に再生コンテンツ内容に応じた電源制御が可能なコンテンツ再生装置及び電源制御方法に関する。
【背景技術】
【０００２】
近年では様々な電子機器に省電力を実現する機能が備えられている。テレビ受信機の場合、該受信機の電源を自動でオフする電源制御機構を設け、省電力を実現している。該電源制御機構では、テレビ受信機の電源がオン状態であるにも関わらず使用者が視聴していない状況を検出する手段を有し、こうした状況が検出されたとき、テレビ受信機の電源を自動で制御しオフすることにより省電力を実現する。この点に関し、例えば、特許文献１では、テレビ受信機に具備されたセンサを用いて視聴者の在籍状況を調べ、この結果を電源制御部に通知し、テレビ受信機の電源がオン状態のままで視聴者が離席し、さらに所定時間以上視聴者の不在が続いた場合、テレビ受信機の電源が自動でオフされている。
【０００３】
【特許文献１】特開平６−７８２４６号公報
【発明の開示】
【発明が解決しようとする課題】
【０００４】
しかし、上述のテレビ受信機においては、例えばディスプレイ部とスピーカ部の電源を、チューナ部とは独立に、オンあるいはオフすることができず、テレビ受信機全体の電源制御のみしかできないという問題があった。
【０００５】
さらに、再生中のチャンネルのコンテンツ内容に応じた電源制御ができないという問題もあった。
【課題を解決するための手段】
【０００６】
本発明では、再生コンテンツ内容を判断し、その判断結果に応じて、複数の電源を独立して制御するコンテンツ再生装置及び判断方法を提供する。
【０００７】
本発明は、コンテンツ再生装置において、コンテンツ内容判断手段により、再生されているコンテンツの内容を判断する。すなわち、当該コンテンツが少なくとも映像を含むコンテンツであるか、音声やデータ等の映像を含まないコンテンツであるかを判定する。入力されたコンテンツが映像を含まないコンテンツの場合、映像処理手段の電源がオン状態であればこれをオフ状態にし、映像を含むコンテンツの場合、映像処理手段の電源がオフ状態であればこれをオン状態にする。
【発明の効果】
【０００８】
本発明によれば、再生コンテンツ内容に応じて電源制御を行うため、無駄な電力の消費を抑えることが可能である。
【発明を実施するための最良の形態】
【０００９】
本発明の実施例を、図面を用いて説明する。
【実施例１】
【００１０】
図１は、本実施形態のコンテンツ再生装置及びこれに接続された外部機器の全体構成を示すブロック図である。
【００１１】
図１において、コンテンツ再生装置１９はスピーカ１６、ディスプレイ１７、チューナ部１８、電源回路部２５を有する。
【００１２】
電源回路部２５は、スピーカ１６、ディスプレイ１７、チューナ部１８に電力を供給しており、入力される制御信号に従い、それぞれ独立に電力供給量を調節可能である。
【００１３】
アンテナ２１は、テレビ放送局から送信される放送波を受信し、コンテンツ再生装置１９のチューナ部１８に供給する。
【００１４】
ディジタル放送チューナ／復調器１は、受信した放送波を復調し、復調結果のＭＰＥＧ−２  ＴＳ（トランスポートストリーム）をＴＳ処理部２へ出力する。ＴＳ処理部２では、ＴＳから各データを分離し、後段へ出力する。
【００１５】
オーディオデコーダ３はＴＳ処理部２から入力される音声データを復号して出力し、ビデオデコーダ４はＴＳ処理部２からの入力される映像データを復号して出力する。
【００１６】
セレクタ部５には、オーディオデコーダ３の出力、ビデオデコーダ４の出力、コンテンツ再生装置の外部入力端子に接続された機器であるＣＤ／ＤＶＤプレーヤ２０からの映像及び音声信号が入力される。セレクタ部５は、放送波の映像デコード結果及び音声デコード結果、または外部入力端子に接続された機器のうちひとつの機器からの信号出力を選択し、選択した系統から入力される音声データをスピーカ１６に出力し、映像データをディスプレイ１７に出力し、関連するデータコンテンツをサブディスプレイ１１に出力する。
【００１７】
チューナ部１８に内蔵されたサブディスプレイ１１は、例えば文字列のみが表示される小型液晶式表示器であってデータ放送を部分的にまたは完全に表示する。なお、サブディスプレイは、映像表示用のディスプレイ１７の一部分あるいは全部に表示されるよう構成されてもよい。
【００１８】
ＰＳＩ解析部６は、ＴＳ処理部２においてＴＳから分離されたＰＳＩ（番組特定情報）を解析し、当該番組中に映像コンテンツが含まれるか否かを判断する。この解析方法については、後述する。
【００１９】
信号検出部７は、セレクタ部５の映像信号出力ラインと接続され、映像信号が存在するか否かを検出する。
【００２０】
映像情報検出部８は、ＰＳＩ解析部６の出力結果と信号検出部７の出力結果に基づき、再生コンテンツが映像情報を含むか否かを判断し、その判断結果を示す判断信号を生成する。これらＰＳＩ解析部６、信号検出部７、映像情報検出部８から、コンテンツ判断部１５が構成される。
【００２１】
電源制御部９は、コンテンツ判断部１５で生成された判断信号と、記憶装置１０に保持されたテーブルの値に基づき、ディスプレイ１７に供給する電力量を制御するためのディスプレイ電力制御信号を電源回路部２５に出力する。
【００２２】
サブディスプレイ制御部１４は、ＰＳＩ解析部６の出力結果と、記憶装置１０に保持されたテーブルの値に基づき、サブディスプレイ１１に対して表示処理を行うか否かを示す制御命令を発行する。
【００２３】
視聴者は、リモートコントローラ２２に備えられたボタンを押圧操作することにより、コンテンツ再生装置１９の操作を行う。リモートコントローラ２２から送られた信号は、チューナ部１８の受信部１２で受信され、受信結果は制御部１３に出力され、制御部１３は操作に対応した制御命令をコンテンツ再生装置１９内部の所定の機能ブロックへ送信する。制御命令としては、コンテンツ再生装置１９の電源操作等がある。
【００２４】
ここで、コンテンツ再生装置１９の電源操作には、当該コンテンツ再生装置１９が電源オン状態または電源オフ状態であるか否かに応じて数通りの操作が考えられる。コンテンツ再生装置１９が電源オン状態または電源オフ状態であるとは、スピーカ１６、ディスプレイ１７、チューナ部１８の各部がすべて電源オン状態または電源オフ状態であることを表す。また本実施例では、電源オフ状態とはいわゆるスタンバイ状態を表し、例えば、チューナ部１８では、スタンバイ状態のとき受信部１２及び制御部１３には電源回路部２５により電力が供給されている。ここで、スタンバイ状態とは、制御部９、電源回路部２５、サブディスプレイ制御部１４、受信部１２が通電状態にあり、視聴者のリモートコントローラによる電源オン等の操作を受付可能である状態を表す。
【００２５】
なお、図１に記載の各機能ブロックは、ハードウェア的には、任意のＣＰＵ（図示せず）、メモリ、その他のLSI等で実現可能であり、ソフトウェア的には、CPUが、メモリにロードされた各機能ブロックを実現するプログラムを解釈、実行することにより達成される。また、これらの機能ブロックがハードウェアのみ、ソフトウェアのみ、または、それらの組み合わせにより様々な形態で実現されることは、当業者に理解されるところである。なお、各プログラムあるいはデータは、メモリまたはハードディスク装置（図示せず）等の記憶装置に格納されている。
【００２６】
図２は、本実施例におけるコンテンツ再生装置１９を操作するために視聴者が利用するリモートコントローラの一例を示す図である。リモートコントローラ２２は、コンテンツ再生装置１９の電源をオンまたはオフするためのコンテンツ再生装置電源操作ボタン３１、テレビ放送の受信チャンネルを切り替えるためのチャンネル操作ボタン３２、セレクタ部５においてコンテンツ入力系統を切り替えるための入力切替ボタン３３、ディスプレイ１７の電源をオンあるいはオフするためのディスプレイ電源操作ボタン３４、ディスプレイ電源を自動で制御するか否かを切り替えるための制御モード切替ボタン３５、などの各種ボタンを具備している。
【００２７】
図３に、コンテンツ再生装置１９が有する記憶装置１０が保持するテーブルの項目を示す。
【００２８】
ディスプレイ電源制御モード４１は、コンテンツ再生装置１９がディスプレイ電源を自動で制御する自動モードに設定されているか、視聴者の操作のみによりディスプレイ電源が制御されるマニュアルモードに設定されているかを保持する。
【００２９】
ディスプレイ電源状態４２は、ディスプレイ１７の電源がオン状態であるかオフ状態であるかを保持する。
【００３０】
サブディスプレイ表示４３は、サブディスプレイ１１に関連データ放送を表示するか否かの状態を保持する。
【００３１】
待機時間４４は、電源制御部９が所定時間の待機処理を行う際の待機時間を保持する。ここで、例えば視聴者がチャンネル切替操作中、番組が放送されていないチャンネルが一時的に受信機に表示される場合があるが、このような場合、視聴者はすぐに異なるチャンネルに切り替えることが予想される。こうした状況において、即座にディスプレイ電源をオフすることは視聴者の利便性を損ねるため、一定時間の待機処理を設けるものである。
【００３２】
再生コンテンツ内容４５は、再生中コンテンツが映像情報を含むか否かを保持する。
【００３３】
セレクタ部入力４６は、セレクタ部５がコンテンツ入力系統としてアンテナ入力を選択しているか、外部入力を選択しているかの状態を保持する。
【００３４】
ディジタル放送においては、伝送方式としてＭＰＥＧ−２  ＴＳが採用されている。ＴＳでは、映像データ、音声データ、データ放送やＥＰＧ（電子番組表）などのコンテンツに加え、表示制御に用いられる時間情報、送受信間の同期情報や各種サービス情報などの制御情報、付加情報が伝送される。ＴＳに含まれる情報のひとつであるＰＳＩにより、各番組における映像、音声などのコンポーネントが含まれるＰＩＤ（パケット識別子）が伝送されることから、ＰＳＩを解析することにより番組中に映像コンテンツが含まれるか否かを調べることが可能である。
【００３５】
ここで、映像あるいは音声等のコンポーネントの有無の判断手法について説明する。
【００３６】
ＴＳの各パケットは、そのパケットが伝送する情報を示すＰＩＤ（パケット識別子）と呼ばれる情報を含み、同一の画像や音声等、同一コンテンツは同一のＰＩＤをもつ。ＴＳに含まれるＰＳＩ（番組特定情報）は、あるＰＩＤをもつパケットに格納される情報を識別するための１３ビットの情報である。ＰＩＤ＝０ｘ００００のものがＰＡＴ（Ｐｒｏｇｒａｍ  Ａｓｓｏｃｉａｔｉｏｎ  Ｔａｂｌｅ）、ＰＩＤ＝０ｘ０００１のものがＣＡＴ（Ｃｏｎｄｉｔｉｏｎａｌ  Ａｃｃｅｓｓ  Ｔａｌｂｅ）、ＰＩＤ＝０ｘ００１０〜０ｘ１ＦＦＥがＰＭＴ（Ｐｒｏｇｒａｍ  Ｍａｐ  Ｔａｂｌｅ）である。
【００３７】
ＰＭＴにはあるプログラムに含まれる画像、音声、付加情報等のＰＩＤが格納され、ＰＡＴにはあるＴＳで伝送されるプログラムとそのプログラムに対応するＰＭＴのＰＩＤの一覧等が格納される。ＰＳＩにおけるＰＡＴおよびＰＭＴより画像、音声等のＰＩＤを取得し、それらのＰＩＤが付加されたパケットを取得することにより、動画等のコンテンツを再生可能である。
【００３８】
ＰＭＴのセクション内にはｓｔｒｅａｍ＿ｔｙｐｅと呼ばれる８ビットの情報が格納され、対応するＰＩＤが付加されたパケットに含まれる情報の種類を特定する（図９参照）ことから、ｓｔｒｅａｍ＿ｔｙｐｅの値により、映像コンテンツが含まれるか否かを判断可能である。
【００３９】
次に、図４のフローチャートに基づき、コンテンツ再生装置におけるコンテンツ判断部１５が入力コンテンツの内容を判断する際の処理手順について説明する。
【００４０】
まず映像情報検出部８が、セレクタ部入力４６の値を読み出し、セレクタ部５において入力系統としてアンテナ入力が選択されているか、あるいは外部入力が選択されているかを検出する（ステップ１０１）。
【００４１】
アンテナ入力が選択されている場合、ＰＳＩ解析部６がＴＳに含まれるＰＳＩを解析し、視聴者が選択しているチャンネルで放送中の番組中の映像情報について調べ（ステップ１０２）、映像情報が存在するか否かを検出し（ステップ１０３）、この検出結果を映像情報検出部８に出力する。
【００４２】
ここで、再生中コンテンツに含まれるパケットにおいて、前記ｓｔｒｅａｍ＿ｔｙｐｅが映像に関する符号化等の規格を示すとき、たとえばＩＳＯ／ＩＥＣ １１１７２‐２ Ｖｉｄｅｏ（ＭＰＥＧ−１  Ｖｉｄｅｏ）等を示すとき、映像情報が含まれると判断する。
【００４３】
映像情報が含まれるときは、再生中のコンテンツが映像を含むコンテンツと判断し（ステップ１０４）、記憶装置１０が保持する再生コンテンツ内容４５の値を読み出し、この値が映像を含まないとなっていた場合、再生コンテンツ内容４５の値を、映像を含むに書き換える。
また、映像情報が含まれないときは再生中のコンテンツが映像を含まないコンテンツと判断し（ステップ１０９）、記憶装置１０が保持する再生コンテンツ内容４５の値を読み出し、この値が映像を含むとなっていた場合、再生コンテンツ内容４５の値を、映像を含まないに書き換える。
【００４４】
また、前記ステップ１０１において、外部入力が選択されている場合、信号検出部７において、セレクタ部５から出力された信号を調べ（ステップ１０７）、映像信号が存在するか否かを検出する（ステップ１０８）。検出方法として、例えば、入力信号にける同期信号の有無を検出することにより、映像信号が存在するか否かを検出する方法が挙げられる。
【００４５】
そして、この検出結果を映像情報検出部８に出力する。映像信号が検出された場合、映像情報検出部８は再生中のコンテンツが映像を含むコンテンツと判断し（ステップ１０４）、判断結果と記憶装置１０が保持する再生コンテンツ内容４５の値とを比較し（ステップ１０５）、比較結果が異なる場合に再生コンテンツ内容４５の値を映像を含むに書き換える（ステップ１０６）。映像信号が検出されなかった場合、映像情報検出部８は再生中のコンテンツが映像を含まないコンテンツと判断し（ステップ１０９）、判断結果と記憶装置１０が保持する再生コンテンツ内容４５の値とを比較し（ステップ１１０）、比較結果が異なる場合に再生コンテンツ内容４５の値を映像を含まないに書き換える（ステップ１１１）。
【００４６】
次に、図５のフローチャートに基づき、コンテンツ再生装置において、ディスプレイ電源を制御する場合の処理手順について説明する。
【００４７】
視聴者がリモートコントローラ２２においてチャンネル操作ボタン３２を押圧操作することでテレビ放送の受信チャンネルを切り替えた場合や、入力切替ボタン３３を押圧操作することでセレクタ部５におけるコンテンツ入力系統を切り替えた場合に、コンテンツ再生装置１９における再生コンテンツが切り替えられる（ステップ１２１）。
【００４８】
視聴者により受信チャンネルの切替操作が行われた場合、制御部１３はディジタル放送チューナ／復調部１、ＴＳ処理部２、オーディオデコーダ３、ビデオデコーダ４などに制御信号を送出し、チャンネルを切り替える。
【００４９】
視聴者により入力系統の切替操作が行われた場合、制御部１３はセレクト部５に制御信号を送出し、入力系統をアンテナ入力から外部入力に、または外部入力からアンテナ入力に、またはある外部入力から異なる外部入力に切り替え、また記憶装置１０に制御信号を送出し、セレクタ部入力４６が保持する値を、切替後の入力系統に書き換える。
【００５０】
制御部１３は、再生コンテンツの切替が生じたことを電源制御部９に通知する。電源制御部９は、この通知を受け、ディスプレイ電源制御モード４１を読み出し、これが自動モードであるか否かを調べる（ステップ１２２）。ディスプレイ電源制御モードが自動モードでない場合、すなわちマニュアルモードの場合、コンテンツ切替前のディスプレイ１７の電源状態が維持される。
【００５１】
ディスプレイ電源制御モードが自動モードの場合、電源制御部９は、ディスプレイ電源状態４２の値を読み出し、ディスプレイ１７の電源状態がオンであるかオフであるかを調べる（ステップ１２３）。
【００５２】
ディスプレイ１７が電源オン状態にあるとき、電源制御部９は、コンテンツ判断部１５の出力結果である判断信号により、再生中のコンテンツに映像情報が含まれるか否かを調べる（ステップ１２４）。
【００５３】
映像情報が含まれる場合、ディスプレイ１７は電源オン状態であり、かつ映像コンテンツを再生中であることから、電源制御部９はコンテンツ切替前のディスプレイ１７の電源状態を維持する。
【００５４】
再生中のコンテンツに映像コンテンツが含まれない場合、電源制御部９は待機時間４４の値を読み出し、これにより指定された時間だけ待機し（ステップ１２５）、待機中にコンテンツ切替操作が再び生じたか否か、及び待機中にコンテンツ判断部１５から入力される判断結果に変化が生じたか否かを調べる（ステップ１２６）。
【００５５】
コンテンツ切替操作が生じた場合または判断結果に変化が生じた場合、待機後に再度ステップ１２４に戻り、電源制御部９は再生中のコンテンツに映像が含まれるか否かを調べる。
【００５６】
待機中に判断結果の変化、コンテンツ切替操作ともに発生しなかった場合、電源制御部９はディスプレイ電源状態４２をオフに書き換え（ステップ１２７）、ディスプレイ１７の電源をオフする制御信号を出力しディスプレイ１７の電源をオフする（ステップ１２８）。
【００５７】
ステップ１２３においてディスプレイ１７が電源オフ状態にあるとき、電源制御部９は、コンテンツ判断部１５の出力結果である判断信号を利用し、再生中のコンテンツに映像情報が含まれるか否かを調べる（ステップ１２９）。
【００５８】
映像情報が含まれない場合、電源制御回路９はコンテンツ切替前のディスプレイ１７の電源状態を維持する。映像コンテンツが含まれない場合として、ラジオ放送のように映像を含まないコンテンツが再生されている場合や、セレクタ部５において入力系統として外部入力が選択されているが、外部機器として接続されたＣＤ／ＤＶＤプレーヤ２０にてコンテンツが再生されていない、あるいは音楽ＣＤが再生されている場合などが挙げられる。
【００５９】
映像情報が含まれる場合、ステップ１２５及びステップ１２６と同様にして、電源制御部９は待機時間４４の値を読み出し、これにより指定された時間だけ待機し（ステップ１３０）、待機中にコンテンツ切替操作が生じたか否か、及び待機中にコンテンツ判断部１５から入力される判断結果に変化が生じたか否かを調べる（ステップ１３１）。
【００６０】
待機中にコンテンツ切替操作が生じた場合または判断結果の変化が生じた場合、待機後に再度ステップ１２９に戻り、電源制御部９は再生中のコンテンツに映像情報が含まれるか否かを調べる。
【００６１】
待機中にコンテンツ切替操作、判断結果の変化がともに発生しなかった場合、電源制御回路９はディスプレイ電源状態４２をオンに書き換え（ステップ１３２）、ディスプレイ１７の電源をオンする制御信号を出力しディスプレイ１７の電源をオンする（ステップ１３３）。
【００６２】
次に、図６のフローチャートに基づき、視聴者がディスプレイ１７の電源をオン操作またはオフ操作する際の処理手順について説明する。
【００６３】
視聴者がリモートコントローラ２２のディスプレイ電源操作ボタン３４を押圧操作すると、その操作は受信部１２を経由し制御部１３に伝送される。これを受け制御部１３が発行した制御命令が電源制御部９に入力されると、電源制御部９は、ディスプレイ電源制御モード４１の値を読み出し、自動モードであるかマニュアルモードであるかを調べる（ステップ１４１）。自動モードである場合、ディスプレイ電源制御モード４１をマニュアルモードに書き換え（ステップ１４２）、マニュアルモードである場合は値を維持する。続いて電源制御部９はディスプレイ電源状態４２の値を読み出し、ディスプレイ１７が電源オン状態である電源オフ状態であるかを調べる（ステップ１４３）。
【００６４】
電源オン状態である場合、電源制御部９はディスプレイ電源状態４２を電源オフ状態に書き換え（ステップ１４４）、ディスプレイ１７の電源をオフする制御信号を出力しディスプレイ１７の電源をオフする（ステップ１４５）。
【００６５】
ステップ１４３においてディスプレイ１７が電源オフ状態である場合、電源制御部９はディスプレイ電源状態４２を電源オン状態に書き換え（ステップ１４６）、ディスプレイ１７の電源をオンする制御信号を出力し、ディスプレイ電源をオンする（ステップ１４７）。
【００６６】
次に図７のフローチャートに基づき、視聴者がコンテンツ再生装置の電源をオン操作またはオフ操作する際の処理手順について説明する。
【００６７】
視聴者がリモートコントローラ２２のコンテンツ再生装置電源操作ボタン３１を押圧操作すると、その操作は受信部１２を経由し制御部１３に伝送される。これを受け制御部１３はコンテンツ再生装置１９の電源がオン状態であるかオフ状態であるかを調べ（ステップ１６１）、その結果を電源制御部９に送出する。
【００６８】
コンテンツ再生装置１９の電源がオン状態である場合、電源制御部９はディスプレイ電源状態４２の値を読み出し、ディスプレイ１７の電源がオン状態であるか電源オフ状態であるかを調べる（ステップ１６２）。
【００６９】
ディスプレイ１７の電源がオン状態であれば、電源制御回路９はディスプレイ１７の電源をオフする制御信号を出力し、ディスプレイ電源をオフする（ステップ１６３）。
【００７０】
ディスプレイ１７が電源オフ状態であれば、ディスプレイ１７に対する電源操作は行われない。
【００７１】
続いて電源制御回路９はスピーカ１６の電源をオフするための制御信号を出力してスピーカ１６の電源をオフし（ステップ１６４）、チューナ部１８の電源をオフするための制御信号を出力してチューナ部１８の電源をオフする（ステップ１６５）。
【００７２】
一方、ステップ１６１において、コンテンツ再生装置１９の電源がオフ状態である場合、電源制御部９は制御命令を発行してチューナ部１８の電源をオンし（ステップ１６６）、スピーカ１６の電源をオンする（ステップ１６７）。
【００７３】
次いで、電源制御部９はディスプレイ電源状態４２の値を読み出し、コンテンツ再生装置１９の電源がオフされたときのディスプレイ電源状態を調べる（ステップ１６８）。ディスプレイ電源状態４２がオンであれば、電源制御部９は制御命令を発行し、ディスプレイ１７の電源をオンし（１６９）、ディスプレイ電源状態４２がオフであれば、ディスプレイ１７に対する電源操作を行わない。
【００７４】
ステップ１６３においてディスプレイ１７に対する電源オフ操作が行われる際に、ディスプレイ電源状態４２の値が書き換えられないことにより、記憶装置１０はコンテンツ再生装置１９の電源がオフされる直前のディスプレイ１７の電源状態を記憶しておくことができるため、コンテンツ再生装置１９の電源がオンされる際に電源制御回路９は電源オフ時のディスプレイ電源状態を再現できる。
【００７５】
図８のフローチャートに基づき、コンテンツ再生装置１９において入力されたコンテンツに関連するデータ放送の再生表示処理手順について説明する。
【００７６】
サブディスプレイ制御部１４はサブディスプレイ表示４３の値を読み出し、表示の設定を調べる（ステップ１８０）。サブディスプレイ表示がオフに設定されている場合、サブディスプレイ１１上への表示は行われない。サブディスプレイ表示がオンに設定されている場合、サブディスプレイ制御部１４はセレクタ部入力４６の値を読み出し、入力系統としてアンテナ入力が選択されているか外部入力が選択されているか否かを調べる（ステップ１８１）。外部入力が選択されている場合、視聴者はアンテナ２１により受信したテレビ放送を視聴していないことから、サブディスプレイ１１への表示処理は行われない。ステップ１８１においてアンテナ入力が選択されている場合、サブディスプレイ制御部１４は、ＰＳＩ解析部６の解析結果を用い、視聴者が現在選択している放送チャンネルに関連したデータ放送がなされているか否かを調べる（ステップ１８２）。関連データ放送が行われていない場合、サブディスプレイ１１上への表示は行われず、関連データ放送が行われている場合、サブディスプレイ１１にその内容を表示する（ステップ１８３）。
【００７７】
上述の実施形態においては、映像情報検出にＰＳＩを利用する場合の入力コンテンツ例としてディジタルテレビ放送を挙げたが、ディジタルテレビ放送に限らず、ディジタル音声放送など、ＴＳを利用するコンテンツ入力に対して本実施例を同様に適用できる。
【００７８】
また、利用者によるコンテンツ再生装置の操作は、リモートコントローラによる操作を例にとり説明したが、もちろんコンテンツ再生装置に操作機構が備えられていてよい。
【００７９】
また、本実施例では、コンテンツ再生装置を例に説明したが、ディスプレイ部とスピーカ部、チューナ部を有する機器であれば、他の機器であっても適用可能である。例えば、テレビ受信機一体型携帯電話機器にも適用した場合、電池の消耗を抑止でき、また液晶テレビやプラズマテレビに適用した場合、パネルの使用期間を延ばすことができる。
【図面の簡単な説明】
【００８０】
【図１】コンテンツ再生装置及び外部に接続された機器のブロック図である。
【図２】図１におけるコンテンツ再生装置を操作するために視聴者が利用するリモートコントローラの一例を示す図である。
【図３】図１におけるコンテンツ再生装置内部の記憶装置が保持するテーブルの一例を示す図である。
【図４】コンテンツ判断部における再生コンテンツ判断処理手順の一例を示すフローチャートである。
【図５】電源制御部におけるディスプレイ電源自動制御処理の一例を示すフローチャートである。
【図６】電源制御部において、視聴者によりディスプレイ電源がマニュアル操作された際の電源制御処理の一例を示すフローチャートである。
【図７】電源制御部において、コンテンツ再生装置の電源が操作される際の電源制御処理の一例を示すフローチャートである。
【図８】コンテンツ内容に関連するデータ放送が存在する場合の、関連データ放送表示処理の一例を示すフローチャートである。
【図９】ｓｔｒｅａｍ＿ｔｙｐｅの割り当て図である。
【符号の説明】
【００８１】
１・・・ディジタル放送チューナ/復調器、２・・・ＴＳ処理部、３・・・オーディオデコーダ、４・・・ビデオデコーダ、５・・・セレクタ部、６・・・ＰＳＩ解析部、７・・・信号検出部、８・・・映像情報検出部、９・・・電源制御部、１０・・・記憶装置、１１・・・サブディスプレイ、１２・・・受信部、１３・・・制御部、１４・・・サブディスプレイ制御部、１５・・・コンテンツ判断部、１６・・・スピーカ、１７・・・ディスプレイ、１８・・・チューナ部、１９・・・コンテンツ再生装置、２０・・・ＣＤ／ＤＶＤプレーヤ、２１・・・アンテナ、２２・・・リモートコントローラ、２５・・・電源回路部
【図１】
2006295748.tif 000003
【図２】
2006295748.tif 000004
【図３】
2006295748.tif 000005
【図４】
2006295748.tif 000006
【図５】
2006295748.tif 000007
【図６】
2006295748.tif 000008
【図７】
2006295748.tif 000009
【図８】
2006295748.tif 000010
【図９】
2006295748.tif 000011